(57)【要約】【課題】店舗等において訪問者の傘やカバン等の携帯物品を簡便に吊下することができる物品吊下装置を提供する。【解決手段】被取付体(2)の正面壁に添設される固定板(4)と、前記固定板の正面側に重ねられる揺動体(5)を備えている。前記揺動体(5)は、自由端部(5b)を前記固定板(4)に重ねられた格納位置Ｐ１と該自由端部(5b)を前記固定板(4)の正面方向に離反した開放位置Ｐ２との間で回動自在となるように枢結され、付勢手段(7)により前記格納位置Ｐ１に向かう正転方向Ｒ１に弾発付勢されている。揺動体(5)の自由端部(5b)には、格納位置Ｐ１に位置した状態で、固定板(4)に重ねられる上向きのフック部(16)と、被取付体(2)の下部空間(S)に進入するアーム部(17)が形成されている。【選択図】図１
0003157043.tif 000002
【実用新案登録請求の範囲】
【請求項１】
所定の厚さを有して左右に延びる正面壁(3)の下側に開放された下部空間(S)を形成する被取付体(2)に取付けられる物品吊下装置であり、
前記正面壁に添設される固定板(4)と、前記固定板の正面側に重ねられる揺動体(5)と、前記揺動体の基部(5a)と固定板の基部(4a)を相互に縦軸を介して枢結する枢結手段(6)を備え、
前記枢結手段(6)は、前記揺動体(5)の自由端部(5b)を前記固定板(4)に重ねた格納位置Ｐ１と該自由端部(5b)を前記固定板(4)の正面方向に離反した開放位置Ｐ２との間で回動自在となるように枢結し、該揺動体(4)を前記格納位置Ｐ１に向かう正転方向Ｒ１に弾発する付勢手段(7)を設けており、
前記揺動体(5)の自由端部(5b)は、上向きのフック部(16)と、前記正転方向Ｒ１に延びるアーム部(17)を形成し、前記格納位置Ｐ１に回動された状態で、前記フック部(16)を固定板(4)に重ねると共に、前記アーム部(17)を前記被取付体(2)の下部空間(S)に進入させるように構成して成ることを特徴とする物品吊下装置。
【請求項２】
前記揺動体(5)は、基部(5a)の近傍から自由端部(5b)の近傍に至り下面を開口する中空部(5c)を形成して成ることを特徴とする請求項１に記載の物品吊下装置。
【請求項３】
前記揺動体(5)は、上部に基部(5a)から自由端部(5b)に向けて下降傾斜する傾斜面(18)を形成し、前記フック部(16)を前記傾斜面(18)に交差して起立するように形成して成ることを特徴とする請求項１又は２に記載の物品吊下装置。
【請求項４】
前記アーム部(17)は、前記枢結手段(6)に対向する側面に円弧状のガイド面(17a)を形成して成ることを特徴とする請求項１、２又は３に記載の物品吊下装置。
【考案の詳細な説明】
【技術分野】
【０００１】
本考案は、店舗等において訪問者の傘やカバン等の携帯物品を簡便に吊下することができる物品吊下装置に関する。
【背景技術】
【０００２】
従来、建物の壁面に取付けられるカウンターのフレームに物品を吊下可能としたフックを設けた多目的カウンターが提案されている。これによれば、訪問者は、傘やカバン等の携帯物品をフックに吊下できるので便利である。
【先行技術文献】
【特許文献】
【０００３】
【特許文献１】特開２００７−２７５３１１号公報
【考案の概要】
【考案が解決しようとする課題】
【０００４】
例えば、パチンコやパチスロ等の遊技機を提供するパチンコ店においては、島に列設された遊技台に棚が設けられており、顧客の携帯物品を載置することが可能である。しかしながら、棚の奥行きが浅いため、傘やカバン等を載置させることは困難である。
【０００５】
そこで、前述のような従来の多目的カウンターに倣って、棚の正面部分にフックを設けておけば、傘の柄をフックに吊下したり、カバンの提手を吊下したりすることが可能となる。
【０００６】
しかしながら、棚の正面部分にフックが固定状態で突出している場合、顧客の衣服が引っ掛かったり、身体の一部を衝突したりする危険がある。
【課題を解決するための手段】
【０００７】
本考案は、上記課題を解決した物品吊下装置を提供するものであり、その手段として構成したところは、所定の厚さを有して左右に延びる正面壁の下側に開放された下部空間を形成する被取付体に取付けられる物品吊下装置であり、前記正面壁に添設される固定板と、前記固定板の正面側に重ねられる揺動体と、前記揺動体の基部と固定板の基部を相互に縦軸を介して枢結する枢結手段を備え、前記枢結手段は、前記揺動体の自由端部を前記固定板に重ねた格納位置Ｐ１と該自由端部を前記固定板の正面方向に離反した開放位置Ｐ２との間で回動自在となるように枢結し、該揺動体を前記格納位置Ｐ１に向かう正転方向Ｒ１に弾発する付勢手段を設けており、前記揺動体の自由端部は、上向きのフック部と、前記回動方向Ｒ１に延びるアーム部を形成し、前記格納位置Ｐ１に回動された状態で、前記フック部を固定板に重ねると共に、前記アーム部を前記被取付体の下部空間に進入させるように構成して成る点にある。
【０００８】
前記揺動体は、基部の近傍から自由端部の近傍に至り下面を開口する中空部を形成するのが好ましい。
【０００９】
前記揺動体は、上部に基部から自由端部に向けて下降傾斜する傾斜面を形成し、前記フック部を前記傾斜面に交差して起立するように形成することが好ましい。
【００１０】
前記アーム部は、前記枢結手段に対向する側面に円弧状のガイド面を形成するのが好ましい。
【考案の効果】
【００１１】
本考案の物品吊下装置１は、揺動体５が付勢手段７により正転方向Ｒ１に弾発付勢されており、これにより、常時は、固定板４に重ねられた格納位置Ｐ１に位置させられ、アーム部１７を被取付体２の下部空間Ｓに格納している。従って、被取付体２の正面側に物品吊下装置１が突き出すことはなく、人の通行の邪魔になることはない。
【００１２】
そこで、来訪者等がカバン、帽子、傘、その他の携帯物品を吊下保持する際には、揺動体５の自由端部５ｂを指先で摘み、該揺動体５を付勢手段７に抗して逆転方向Ｒ２に回動させ、開放位置Ｐ２に位置させた状態で、フック部１６とアーム部１７を任意に選択することにより、携帯物品を吊下保持すれば良い。この際、揺動体５に下部開口状の中空部５ｃを設けておけば、該中空部５ｃに指先を挿入することにより揺動体５を逆転方向Ｒ２に回動させることが容易となる。
【００１３】
特に本考案によれば、揺動体５を開放位置Ｐ２に回動した状態で、カバンの提手や帽子のテープ生地等をフック部１６に掛けた後、揺動体５から手を離せば、揺動体５が付勢手段７により格納位置Ｐ１に向けて正転方向Ｒ１に回動され、前記カバンの提手や帽子のテープ生地等が該フック部１６と固定板４の間に挟持されるので、脱落不能に吊下保持される利点がある。
【００１４】
この際、揺動体５にフック部１６に向かう傾斜面１８を形成しておけば、該傾斜面１８がガイド面となるので、該傾斜面１８に沿って前記提手やテープ生地をフック部１６に向けて移動すれば、簡単にフック部１６に掛けることができるという効果がある。
【００１５】
また、本考案によれば、揺動体５を開放位置Ｐ２に回動した状態で、傘や杖等の長尺物品を吊下保持する場合は、アーム部１７と揺動体５の背面のコーナー部分に長尺物品を沿わせた状態で、揺動体５を付勢手段７により格納位置Ｐ１に向けて正転方向Ｒ１に回動させれば、長尺物品が該揺動体５と固定板４の間に挟持されるので、脱落不能に吊下保持される利点がある。
【００１６】
この際、アーム部１７に枢結手段６に対向するガイド面１７ａを形成しておけば、長尺物品を前記コーナー部分に沿わせる作業が容易になるという効果がある。
【図面の簡単な説明】
【００１７】
【図１】本考案の１実施形態に係る物品吊下装置を示しており、揺動体が格納位置に回動させられた状態を示す斜視図である。
【図２】本考案の１実施形態に係る物品吊下装置を示しており、揺動体が開放位置に回動させられた状態を示す斜視図である。
【図３】本考案の１実施形態に係る物品吊下装置を分解状態で示しており、揺動体を正面側から見た状態を示す斜視図である。
【図４】本考案の１実施形態に係る物品吊下装置を分解状態で示しており、揺動体を背面側から見た状態を示す斜視図である。
【考案を実施するための形態】
【００１８】
以下図面に基づいて本考案の好ましい実施形態を詳述する。
【００１９】
本考案の物品吊下装置１は、パチンコ等の遊技島の棚や、レストランのテーブルや、各種店舗におけるカウンター等の被取付体２に取付固着することにより使用される。この際、被取付体２は、所定の厚さを有して左右に延びる正面壁３の下側に開放された下部空間Ｓを形成している。
【００２０】
物品吊下装置１は、前記正面壁３に添設される固定板４と、前記固定板４の正面側に重ねられる揺動体５と、前記揺動体５の基部５ａと固定板４の基部４ａを相互に縦軸を介して枢結する枢結手段６を備えており、固定板４と揺動体５をそれぞれプラスチックにより一体成形している。前記枢結手段６により、前記揺動体５は、前記基部５ａの反対側の自由端部５ｂを前記固定板４に重ねた格納位置Ｐ１と、該自由端部５ｂを前記固定板４から正面方向に離反した開放位置Ｐ２との間で、回動自在とされており、常時は、コイルスプリング等のスプリングにより構成された付勢手段７により、前記格納位置Ｐ１に向かう正転方向Ｒ１に向けて弾発されている。
【００２１】
前記固定板４は、前記被取付体２の正面壁３にビス等の固着手段８により取付固着するための孔９を設け、前記基部４ａの正面側に前記枢結手段６を構成するブラケット１０、１１を上下に間隔をあけて突設し、前記基端部４ａの反対側の端部４ｂの下縁に切欠き部１２を形成している。
【００２２】
前記揺動体５は、分厚い盤状に形成され、基部５ａの近傍から自由端部５ｂの近傍に至り下面を開口する中空部５ｃを形成し、正面に設けた凹部１９にプレート２０を嵌着しており、前記基部５ａに突設したブラケット１３を前記一対のブラケット１０、１１の間に介装した状態で、軸ピン６ａにより軸支することにより、前記枢結手段６を構成する。この際、揺動体５のブラケット１３と固定板４の下側のブラケット１１の間に付勢手段７を構成するコイルスプリングが介装され、該スプリングの一端部７ａを固定板４の係止部１４に係止し、他端部７ｂを揺動体５の係止部１５に係止することにより、揺動体５を前記正転方向Ｒ１に向けて弾発付勢する。揺動体５は、付勢手段７の弾発力に抗して逆転方向Ｒ２に向けて回動可能であり、該揺動体５を固定板４とほぼ直交する開放位置Ｐ２まで回動したとき、それ以上の回動を阻止するストッパ１３ａが設けられている。
【００２３】
前記揺動体５の自由端部５ｂには、上向きのフック部１６と、前記正転方向Ｒ１に延びるアーム部１７が設けられている。
【００２４】
前記フック部１６は、揺動体５の上部を基部４ａから自由端部５ｂに向けて下降傾斜するように形成した傾斜面１８に交差して起立するように形成され、上端に前記傾斜面１８に対向する鉤部１６ａを形成しており、揺動体５が前記格納位置Ｐ１に回動された状態で、固定板４の端部４ｂの正面側に重ねられる。
【００２５】
前記アーム部１７は、揺動体５の自由端部５ｂの背面から前記正転方向Ｒ１に向けて延設され、枢結手段６に対向する側面に円弧状のガイド面１７ａを形成しており、揺動体５が前記格納位置Ｐ１に回動された状態で、前記切欠き部１２を介して被取付体２の下部空間Ｓに進入させられる。
【００２６】
物品吊下装置１は、図１に示すように、固着手段８により固定板４を被取付体２の正面壁３に取付固着した状態で使用され、前記プレート２０に宣伝広告又は物品吊下装置１の使用方法、その他の情報を表示している。常時は、揺動体５が付勢手段７により正転方向Ｒ１に弾発付勢されることにより固定板４に重ねられた格納位置Ｐ１に位置させられており、アーム部１７を被取付体２の下部空間Ｓに格納している。従って、被取付体２の正面側に物品吊下装置１が突き出すことはなく、人の通行の邪魔にならない。
【００２７】
来訪者等がカバン、帽子、傘、その他の携帯物品を吊下保持するために物品吊下装置１を使用する場合は、揺動体５の中空部５ｃに指先を挿入することにより、図２に示すように、該揺動体５を付勢手段７に抗して逆転方向Ｒ２に回動させ、開放位置Ｐ２に位置させた状態で、フック部１６とアーム部１７を任意に選択することにより、携帯物品を吊下保持すれば良い。
【００２８】
揺動体５を開放位置Ｐ２に回動させた状態で、例えば、カバンを吊下保持する場合は、カバンの提手をフック部１６に掛ければ良く、帽子を吊下保持する場合は、帽子に付設された紐やテープ生地をフック部１６に掛ければ良い。この際、フック部１６に向かう傾斜面１８がガイド面となるので、該傾斜面１８に沿って前記提手やテープ生地をフック部１６に向けて移動すれば、簡単にフック部１６に掛けることができる。この状態で揺動体５から手を離せば、揺動体５が付勢手段７により格納位置Ｐ１に向けて正転方向Ｒ１に回動され、前記カバンの提手や帽子のテープ生地等が該フック部１６と固定板４の間に挟持される。
【００２９】
これに対して、傘や杖等の長尺物品を吊下保持する場合は、揺動体５を開放位置Ｐ２に回動させた状態で、該揺動体５と固定板４の間に長尺物品を挿入すれば良い。この際、揺動体５の自由端部５ｂから正転方向Ｒ１に向けてアーム部１７が延設されているので、該アーム部１７のガイド面１７ａと揺動体５の背面のコーナー部分に長尺物品を沿わせた状態で、揺動体５を付勢手段７により格納位置Ｐ１に向けて正転方向Ｒ１に回動させれば、長尺物品が該揺動体５と固定板４の間に挟持される。この場合、図２に鎖線で示すように、揺動体５は、格納位置Ｐ１に至らない中途の作動位置Ｐ３に停止するが、揺動体５の自由端部５ｂと固定板４の端部４ｂの間にアーム部１７が交差状態で位置しているので、長尺物品が倒れることにより脱落することはない。尚、例えば、フック形状の柄を有する傘の場合は、柄をフック部１６又はアーム部１７に掛けることにより保持させても良い。
【符号の説明】
【００３０】
１  物品吊下装置
２  被取付体
３  正面壁
Ｓ  下部空間
４  固定板
４ａ  基部
４ｂ  端部
５  揺動体
５ａ  基部
５ｂ  自由端部
５ｃ  中空部
６  枢結手段
６ａ  軸ピン
７  付勢手段
７ａ、７ｂ  端部
８  固着手段
９  孔
１０、１１  ブラケット
１２  切欠き部
１３  ブラケット
１３ａ  ストッパ
１４、１５  係止部
１６  フック部
１７  アーム部
１７ａ  ガイド面
１８  傾斜面
１９  凹部
２０  プレート
Ｐ１  格納位置
Ｐ２  開放位置
Ｐ３  作動位置
【図１】
0003157043.tif 000003
【図２】
0003157043.tif 000004
【図３】
0003157043.tif 000005
【図４】
0003157043.tif 000006